(57)【要約】【課題】ユーザによるハンドルの取り外しを抑制することが可能な技術を提供する。【解決手段】本明細書は、電動工具を開示する。前記電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに取り付けられたハンドルを備えていてもよい。前記ハンドルは、工具を使用しなければ、前記ハウジングから取り外し不能であってもよい。【選択図】図１
2020179491.tif 000002
【特許請求の範囲】
【請求項１】
モータと、
前記モータに接続された動力伝達機構と、
前記モータおよび前記動力伝達機構を収容するハウジングと、
前記動力伝達機構に接続されており、先端工具を着脱可能な先端工具保持部と、
前記ハウジングに取り付けられたハンドルを備えており、
前記ハンドルが、工具を使用しなければ、前記ハウジングから取り外し不能である、電動工具。
【請求項２】
前記電動工具がさらに、前記ハウジングに対して回動軸周りに回動可能に前記ハウジングに取り付けられており、前記ハンドルを保持する取付部材を備えており、
前記取付部材の前記ハウジングに対する前記回動軸周りの回動を許容する状態と禁止する状態の間で切り替え可能である、請求項１の電動工具。
【請求項３】
前記ハウジングが、前記回動軸を中心軸とする円筒部を有しており、
前記取付部材が、前記円筒部に対して摺動可能に当接しており、第１端部と、第２端部を有するバンドを備えており、
前記バンドの前記第１端部と前記第２端部の間の間隔が広がった場合に、前記取付部材の前記ハウジングに対する前記回動軸周りの回動を許容し、
前記バンドの前記第１端部と前記第２端部の間の間隔が狭まった場合に、前記バンドと前記円筒部の間に作用する摩擦力によって、前記取付部材の前記ハウジングに対する前記回動軸周りの回動を禁止する、請求項２の電動工具。
【請求項４】
前記バンドの前記第１端部に、外側に向けて突出する第１突出部が設けられており、
前記バンドの前記第２端部に、外側に向けて突出する第２突出部が設けられており、
前記電動工具がさらに、前記第１突出部と前記第２突出部を収容する収容空間を有する調整部材を備えており、
前記調整部材が、前記バンドに対して回転軸周りに回転させることで前記バンドに対して進退するように前記バンドに取り付けられており、
前記調整部材が前記バンドに対して後退した位置にある場合に、前記収容空間の内部で前記第１突出部と前記第２突出部が互いに離反しており、
前記調整部材が前記バンドに対して前進した位置にある場合に、前記第１突出部と前記第２突出部のそれぞれが前記収容空間の内面に当接して押圧されて、前記第１突出部と前記第２突出部が互いに近接する、請求項３の電動工具。
【請求項５】
前記ハンドルが、前記取付部材に前記回転軸周りに回転可能に保持されており、
前記調整部材が、前記ハンドルに固定されている、請求項４の電動工具。
【請求項６】
前記バンドの前記第１端部に、外側に向けて突出する第１突出部が設けられており、
前記バンドの前記第２端部に、外側に向けて突出する第２突出部が設けられており、
前記電動工具がさらに、頭部と軸部を有するボルトと、前記ボルトの前記軸部に螺合したナットを備えており、
前記ボルトの前記軸部が、前記第１突出部と前記第２突出部を貫通しており、
前記第１突出部と前記第２突出部は、前記ボルトの前記頭部と前記ナットの間に配置されており、
前記ナットが前記ボルトの前記頭部に対して後退した位置にある場合に、前記第１突出部と前記第２突出部が互いに離反しており、
前記ナットが前記ボルトの前記頭部に対して前進した位置にある場合に、前記第１突出部と前記第２突出部が前記ボルトの前記頭部と前記ナットによって挟み込まれて、前記第１突出部と前記第２突出部が互いに近接する、請求項３の電動工具。
【請求項７】
前記ハンドルが、前記取付部材に前記ボルトの前記軸部周りに回転可能に保持されており、
前記ボルトの前記頭部および前記ナットの一方が、前記取付部材に対して固定されており、
前記ボルトの前記頭部および前記ナットの他方が、前記ハンドルに対して固定されている、請求項６の電動工具。
【請求項８】
前記ハウジングが、前記回動軸を中心軸とする円筒部を有しており、
前記取付部材が、
前記円筒部に対して摺動可能に当接しており、第１端部と、第２端部を有するバンドと、
前記バンドの前記第１端部および前記第２端部を保持しており、前記回動軸に直交する方向における前記ハウジングからの位置を調整可能な可動部材を備えており、
前記可動部材が前記ハウジングに近い位置にある場合に、前記取付部材の前記ハウジングに対する前記回動軸周りの回動を許容し、
前記可動部材が前記ハウジングから遠い位置にある場合に、前記バンドと前記円筒部の間に作用する摩擦力によって、前記取付部材の前記ハウジングに対する前記回動軸周りの回動を禁止する、請求項２の電動工具。
【請求項９】
前記取付部材がさらに、前記回動軸に直交する方向における前記ハウジングからの位置が固定されており、前記保持部材よりも前記ハウジングから離れて配置されたベース部材を備えており、
前記電動工具はさらに、頭部と軸部を有するボルトと、前記ボルトの前記軸部に螺合したナットを備えており、
前記ボルトの前記軸部が、前記可動部材と前記ベース部材を貫通しており、
前記可動部材と前記ベース部材は、前記ボルトの前記頭部と前記ナットの間に配置されており、
前記ナットが前記ボルトの前記頭部に対して後退した位置にある場合に、前記可動部材が前記ベース部材から離反しており、
前記ナットが前記ボルトの前記頭部に対して前進した位置にある場合に、前記可動部材と前記ベース部材が前記ボルトの前記頭部と前記ナットによって挟み込まれて、前記可動部材が前記ベース部材に近接する、請求項８の電動工具。
【請求項１０】
前記ハンドルが、前記取付部材に前記ボルトの前記軸部周りに回転可能に保持されており、
前記ボルトの前記頭部および前記ナットの一方が、前記可動部材に対して固定されており、
前記ボルトの前記頭部および前記ナットの他方が、前記ハンドルに対して固定されている、請求項９の電動工具。
【請求項１１】
モータと、
前記モータに接続された動力伝達機構と、
前記モータおよび前記動力伝達機構を収容するハウジングと、
前記動力伝達機構に接続されており、先端工具を着脱可能な先端工具保持部と、
前記ハウジングに取り付けられたハンドルを備えており、
前記ハンドルが、前記ハウジングおよび／または前記ハンドルを分解しなければ、前記ハウジングから取り外し不能である、電動工具。
【請求項１２】
モータと、
前記モータに接続された動力伝達機構と、
前記モータおよび前記動力伝達機構を収容するハウジングと、
前記動力伝達機構に接続されており、先端工具を着脱可能な先端工具保持部と、
前記ハウジングに一体的に形成されたハンドルを備える、電動工具。
【請求項１３】
前記ハウジングに着脱可能に取り付けられており、前記モータに電力を供給するバッテリをさらに備える、請求項１から１２の何れか一項の電動工具。
【請求項１４】
前記先端工具として、研削ホイールを使用可能であり、グラインダとして機能する、請求項１から１３の何れか一項の電動工具。
【請求項１５】
前記ハウジングが、グリップを備えており、
ユーザが、一方の手で前記グリップを把持し、他方の手で前記ハンドルを把持した状態で、前記電動工具を使用可能である、請求項１から１４の何れか一項の電動工具。
【発明の詳細な説明】
【技術分野】
【０００１】
本明細書で開示する技術は、電動工具に関する。
【背景技術】
【０００２】
特許文献１には、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに取り付けられたハンドルを備える電動工具が開示されている。
【先行技術文献】
【特許文献】
【０００３】
【特許文献１】特開２００５−１３８２３９号公報
【発明の概要】
【発明が解決しようとする課題】
【０００４】
ユーザが電動工具を使用する際には、ユーザがハンドルを把持して電動工具を安定して保持しながら作業を行うことが好ましい。しかしながら、ユーザがハンドルを自由に取り外し可能な構成としてしまうと、ハンドルが取り外された状態で電動工具が使用されるおそれがある。ユーザによるハンドルの取り外しを抑制することが可能な技術が期待されている。
【課題を解決するための手段】
【０００５】
本明細書は、電動工具を開示する。前記電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに取り付けられたハンドルを備えていてもよい。前記ハンドルは、工具を使用しなければ、前記ハウジングから取り外し不能であってもよい。
【０００６】
上記の構成によれば、ユーザは工具を使用しなければハンドルを取り外すことができないので、ハンドルが取り外された状態で電動工具が使用されることを抑制することができる。
【０００７】
本明細書は、別の電動工具も開示する。前記電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに取り付けられたハンドルを備えていてもよい。前記ハンドルは、前記ハウジングおよび／または前記ハンドルを分解しなければ、前記ハウジングから取り外し不能であってもよい。
【０００８】
上記の構成によれば、ユーザはハウジングおよび／またはハンドルを分解しなければハンドルを取り外すことができないので、ハンドルが取り外された状態で電動工具が使用されることを抑制することができる。
【０００９】
本明細書は、さらに別の電動工具も開示する。前記電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに一体的に形成されたハンドルを備えていてもよい。
【００１０】
上記の構成によれば、ユーザはハウジングからハンドルを取り外すことができないので、ハンドルが取り外された状態で電動工具が使用されることを防止することができる。
【図面の簡単な説明】
【００１１】
【図１】実施例１の電動工具２について、サイドグリップ１０がスペーサハウジング８の左方に配置された状態を、前方左方上方から見た斜視図である。
【図２】実施例１の電動工具２の縦断面図である。
【図３】実施例１の電動工具２のスペーサハウジング８の斜視図である。
【図４】実施例１の電動工具２の取付部材３０の斜視図である。
【図５】実施例１の電動工具２の、取付部材３０がロック解除状態にある状況での、横断面図である。
【図６】実施例１の電動工具２の、取付部材３０がロック状態にある状況での、横断面図である。
【図７】実施例１の電動工具２について、サイドグリップ１０がスペーサハウジング８の右方に配置された状態を、前方左方上方から見た斜視図である。
【図８】実施例１の電動工具２について、サイドグリップ１０がスペーサハウジング８の上方に配置された状態を、前方左方上方から見た斜視図である。
【図９】実施例２の電動工具１０２について、サイドグリップ１１６がスペーサハウジング１０４の左方に配置された状態を、前方右方上方から見た斜視図である。
【図１０】実施例２の電動工具１０２のスペーサハウジング１０４の近傍の部分の斜視図である。
【図１１】実施例２の電動工具１０２の取付部材１１４の斜視図である。
【図１２】実施例２の電動工具１０２の、取付部材１１４がロック解除状態にある状況での、横断面図である。
【図１３】実施例２の電動工具１０２の、取付部材１１４がロック状態にある状況での、横断面図である。
【図１４】実施例２の電動工具１０２について、サイドグリップ１１６がスペーサハウジング１０４の上方に配置された状態を、前方右方上方から見た斜視図である。
【図１５】実施例３の電動工具２０２について、サイドグリップ２１６がスペーサハウジング２０４の左方に配置された状態を、前方右方上方から見た斜視図である。
【図１６】実施例３の電動工具２０２のスペーサハウジング２０４の近傍の部分の斜視図である。
【図１７】実施例３の電動工具２０２の、取付部材２１４とサイドグリップ２１６の斜視図である。
【図１８】実施例３の電動工具２０２の、取付部材２１４がロック解除状態にある状況での、横断面図である。
【図１９】実施例３の電動工具２０２の、取付部材２１４がロック状態にある状況での、横断面図である。
【図２０】実施例３の電動工具２０２について、サイドグリップ２１６がスペーサハウジング２０４の右方に配置された状態を、前方右方上方から見た斜視図である。
【図２１】実施例３の電動工具２０２について、サイドグリップ２１６がスペーサハウジング２０４の上方に配置された状態を、前方右方上方から見た斜視図である。
【図２２】実施例４の電動工具３０２について、前方左方上方から見た斜視図である。
【図２３】実施例４の電動工具３０２の横断面図である。
【発明を実施するための形態】
【００１２】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善された電動工具、その製造方法及び使用方法を提供するために、他の特徴や発明とは別に、又は共に用いることができる。
【００１３】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００１４】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１５】
１つまたはそれ以上の実施形態において、電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに取り付けられたハンドルを備えていてもよい。前記ハンドルは、工具を使用しなければ、前記ハウジングから取り外し不能であってもよい。
【００１６】
上記の構成によれば、ユーザは工具を使用しなければハンドルを取り外すことができないので、ハンドルが取り外された状態で電動工具が使用されることを抑制することができる。
【００１７】
１つまたはそれ以上の実施形態において、前記電動工具はさらに、前記ハウジングに対して回動軸周りに回動可能に前記ハウジングに取り付けられており、前記ハンドルを保持する取付部材を備えていてもよい。前記電動工具は、前記取付部材の前記ハウジングに対する前記回動軸周りの回動を許容する状態と禁止する状態の間で切り替え可能であってもよい。
【００１８】
上記の構成によれば、ハンドルのハウジングに対する取付位置や取付角度を、ユーザが自由に調整することができるので、ユーザの利便性を向上することができる。
【００１９】
１つまたはそれ以上の実施形態において、前記ハウジングは、前記回動軸を中心軸とする円筒部を有していてもよい。前記取付部材は、前記円筒部に対して摺動可能に当接しており、第１端部と、第２端部を有するバンドを備えていてもよい。前記電動工具は、前記バンドの前記第１端部と前記第２端部の間の間隔が広がった場合に、前記取付部材の前記ハウジングに対する前記回動軸周りの回動を許容してもよい。前記電動工具は、前記バンドの前記第１端部と前記第２端部の間の間隔が狭まった場合に、前記バンドと前記円筒部の間に作用する摩擦力によって、前記取付部材の前記ハウジングに対する前記回動軸周りの回動を禁止してもよい。
【００２０】
上記の構成によれば、簡素な構成によって、取付部材のハウジングに対する回動軸周りの回動を許容する状態と禁止する状態の間で切り替えることができる。
【００２１】
１つまたはそれ以上の実施形態において、前記バンドの前記第１端部に、外側に向けて突出する第１突出部が設けられていてもよい。前記バンドの前記第２端部に、外側に向けて突出する第２突出部が設けられていてもよい。前記電動工具はさらに、前記第１突出部と前記第２突出部を収容する収容空間を有する調整部材を備えていてもよい。前記調整部材は、前記バンドに対して回転軸周りに回転させることで前記バンドに対して進退するように前記バンドに取り付けられていてもよい。前記調整部材が前記バンドに対して後退した位置にある場合に、前記収容空間の内部で前記第１突出部と前記第２突出部が互いに離反してもよい。前記調整部材が前記バンドに対して前進した位置にある場合に、前記第１突出部と前記第２突出部のそれぞれが前記収容空間の内面に当接して押圧されて、前記第１突出部と前記第２突出部が互いに近接してもよい。
【００２２】
上記の構成によれば、簡素な構成によって、バンドの第１端部と第２端部の間の間隔が広がった状態と、バンドの第１端部と第２端部の間の間隔が狭まった状態の間で切り替えることができる。
【００２３】
１つまたはそれ以上の実施形態において、前記ハンドルは、前記取付部材に前記回転軸周りに回転可能に保持されていてもよい。前記調整部材は、前記ハンドルに固定されていてもよい。
【００２４】
上記の構成によれば、ハンドルを取付部材に対して回転軸周りに回転させることで、バンドの第１端部と第２端部の間の間隔が広がった状態と、バンドの第１端部と第２端部の間の間隔が狭まった状態の間で切り替えることができる。
【００２５】
１つまたはそれ以上の実施形態において、前記バンドの前記第１端部に、外側に向けて突出する第１突出部が設けられていてもよい。前記バンドの前記第２端部に、外側に向けて突出する第２突出部が設けられていてもよい。前記電動工具はさらに、頭部と軸部を有するボルトと、前記ボルトの前記軸部に螺合したナットを備えていてもよい。前記ボルトの前記軸部は、前記第１突出部と前記第２突出部を貫通していてもよい。前記第１突出部と前記第２突出部は、前記ボルトの前記頭部と前記ナットの間に配置されていてもよい。前記ナットが前記ボルトの前記頭部に対して後退した位置にある場合に、前記第１突出部と前記第２突出部が互いに離反してもよい。前記ナットが前記ボルトの前記頭部に対して前進した位置にある場合に、前記第１突出部と前記第２突出部が前記ボルトの前記頭部と前記ナットによって挟み込まれて、前記第１突出部と前記第２突出部が互いに近接してもよい。
【００２６】
上記の構成によれば、簡素な構成によって、バンドの第１端部と第２端部の間の間隔が広がった状態と、バンドの第１端部と第２端部の間の間隔が狭まった状態の間で切り替えることができる。
【００２７】
１つまたはそれ以上の実施形態において、前記ハンドルは、前記取付部材に前記ボルトの前記軸部周りに回転可能に保持されていてもよい。前記ボルトの前記頭部および前記ナットの一方は、前記取付部材に対して固定されていてもよい。前記ボルトの前記頭部および前記ナットの他方は、前記ハンドルに対して固定されていてもよい。
【００２８】
上記の構成によれば、ハンドルを取付部材に対して、ボルトの軸部に沿った回転軸周りに回転させることで、バンドの第１端部と第２端部の間の間隔が広がった状態と、バンドの第１端部と第２端部の間の間隔が狭まった状態の間で切り替えることができる。
【００２９】
１つまたはそれ以上の実施形態において、前記ハウジングは、前記回動軸を中心軸とする円筒部を有していてもよい。前記取付部材は、前記円筒部に対して摺動可能に当接しており、第１端部と、第２端部を有するバンドと、前記バンドの前記第１端部および前記第２端部を保持しており、前記回動軸に直交する方向における前記ハウジングからの位置を調整可能な可動部材を備えていてもよい。前記電動工具は、前記可動部材が前記ハウジングに近い位置にある場合に、前記取付部材の前記ハウジングに対する前記回動軸周りの回動を許容してもよい。前記電動工具は、前記可動部材が前記ハウジングから遠い位置にある場合に、前記バンドと前記円筒部の間に作用する摩擦力によって、前記取付部材の前記ハウジングに対する前記回動軸周りの回動を禁止してもよい。
【００３０】
上記の構成によれば、簡素な構成によって、取付部材のハウジングに対する回動軸周りの回動を許容する状態と禁止する状態の間で切り替えることができる。
【００３１】
１つまたはそれ以上の実施形態において、前記取付部材はさらに、前記回動軸に直交する方向における前記ハウジングからの位置が固定されており、前記保持部材よりも前記ハウジングから離れて配置されたベース部材を備えていてもよい。前記電動工具はさらに、頭部と軸部を有するボルトと、前記ボルトの前記軸部に螺合したナットを備えていてもよい。前記ボルトの前記軸部は、前記可動部材と前記ベース部材を貫通していてもよい。前記可動部材と前記ベース部材は、前記ボルトの前記頭部と前記ナットの間に配置されていてもよい。前記ナットが前記ボルトの前記頭部に対して後退した位置にある場合に、前記可動部材が前記ベース部材から離反してもよい。前記ナットが前記ボルトの前記頭部に対して前進した位置にある場合に、前記可動部材と前記ベース部材が前記ボルトの前記頭部と前記ナットによって挟み込まれて、前記可動部材が前記ベース部材に近接してもよい。
【００３２】
上記の構成によれば、簡素な構成によって、可動部材がベース部材から離反した状態、すなわち可動部材がハウジングに近い位置にある状態と、可動部材がベース部材に近接した状態、すなわち可動部材がハウジングから遠い位置にある状態の間で切り替えることができる。
【００３３】
１つまたはそれ以上の実施形態において、前記ハンドルは、前記取付部材に前記ボルトの前記軸部周りに回転可能に保持されていてもよい。前記ボルトの前記頭部および前記ナットの一方は、前記可動部材に対して固定されていてもよい。前記ボルトの前記頭部および前記ナットの他方は、前記ハンドルに対して固定されていてもよい。
【００３４】
上記の構成によれば、ハンドルを取付部材に対して、ボルトの軸部に沿った回転軸周りに回転させることで、可動部材がベース部材から離反した状態、すなわち可動部材がハウジングに近い位置にある状態と、可動部材がベース部材に近接した状態、すなわち可動部材がハウジングから遠い位置にある状態の間で切り替えることができる。
【００３５】
１つまたはそれ以上の実施形態において、電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに取り付けられたハンドルを備えていてもよい。前記ハンドルは、前記ハウジングおよび／または前記ハンドルを分解しなければ、前記ハウジングから取り外し不能であってもよい。
【００３６】
上記の構成によれば、ユーザはハウジングおよび／またはハンドルを分解しなければハンドルを取り外すことができないので、ハンドルが取り外された状態で電動工具が使用されることを抑制することができる。
【００３７】
１つまたはそれ以上の実施形態において、電動工具は、モータと、前記モータに接続された動力伝達機構と、前記モータおよび前記動力伝達機構を収容するハウジングと、前記動力伝達機構に接続されており、先端工具を着脱可能な先端工具保持部と、前記ハウジングに一体的に形成されたハンドルを備えていてもよい。
【００３８】
上記の構成によれば、ユーザはハウジングからハンドルを取り外すことができないので、ハンドルが取り外された状態で電動工具が使用されることを防止することができる。
【００３９】
１つまたはそれ以上の実施形態において、前記電動工具は、前記ハウジングに着脱可能に取り付けられており、前記モータに電力を供給するバッテリをさらに備えていてもよい。
【００４０】
上記の構成によれば、外部の電源に電源コードで接続することなく、モータに電力を供給することができる。
【００４１】
１つまたはそれ以上の実施形態において、前記電動工具では、前記先端工具として、研削ホイールを使用可能であってもよい。前記電動工具は、グラインダとして機能してもよい。
【００４２】
上記の構成によれば、グラインダとして機能する電動工具が、ハンドルが取り外された状態で使用されることを防止することができる。
【００４３】
１つまたはそれ以上の実施形態において、前記ハウジングは、グリップを備えていてもよい。ユーザは、一方の手で前記グリップを把持し、他方の手で前記ハンドルを把持した状態で、前記電動工具を使用可能であってもよい。
【００４４】
上記の構成によれば、ユーザは、電動工具を使用する際に、一方の手でグリップを把持し、他方の手でハンドルを把持して、電動工具を安定して保持することができる。
【００４５】
（実施例１）
図１に示すように、本実施例の電動工具２は、例えばグラインダである。電動工具２は、モータハウジング４と、リヤハウジング６と、スペーサハウジング８と、サイドグリップ１０と、ギヤハウジング１２と、ベアリングボックス１４と、ホイールカバー１６と、を備えている。
【００４６】
図２に示すように、モータハウジング４の内部には、モータ１８が収容されている。モータ１８は、前後方向に伸びる出力シャフト２０を有している。出力シャフト２０は、ベアリング２２を介して、モータハウジング４に回転可能に支持されている。
【００４７】
リヤハウジング６は、モータハウジング４の後方に取り付けられている。リヤハウジング６の内部には、電源回路２４が収容されている。電源回路２４には、外部の電源から電源コード２６を介して電力が供給される。モータハウジング４の左面にはスライドスイッチ２８（図１参照）が設けられている。ユーザがスライドスイッチ２８を操作して前方のＯＮ位置にスライドさせると、モータ１８に電力が供給される。モータ１８は、電源回路２４から供給される電力によって、出力シャフト２０を回転させる。ユーザがスライドスイッチ２８を操作して後方のＯＦＦ位置にスライドさせると、モータ１８への電力の供給が停止される。なお、上記のように外部の電源から電源コード２６を介して電動工具２に電力が供給される構成とする代わりに、ハウジング５２に着脱可能であって、リチウムイオン電池等の二次電池を内蔵したバッテリ（図示せず）から電動工具２に電力が供給される構成としてもよい。
【００４８】
スペーサハウジング８は、モータハウジング４の前方に取り付けられている。スペーサハウジング８には、取付部材３０を介して、サイドグリップ１０が取り付けられている。ユーザが電動工具２を使用する際には、一方の手でモータハウジング４を把持し、他方の手でサイドグリップ１０を把持することで、ユーザは電動工具２を安定して保持することができる。
【００４９】
ギヤハウジング１２は、スペーサハウジング８の前方に取り付けられている。ギヤハウジング１２は、前後方向に伸びるねじ３２（図１参照）によって、スペーサハウジング８とともに、モータハウジング４に固定されている。ギヤハウジング１２は、ベアリング３４を介して出力シャフト２０を回転可能に支持している。ギヤハウジング１２の内部には、互いに噛み合うように配置された第１ベベルギヤ３６と第２ベベルギヤ３８が収容されている。第１ベベルギヤ３６は、出力シャフト２０の前方端部に固定されている。第２ベベルギヤ３８は、上下方向に伸びるスピンドル４０の上方端部に固定されている。以下では、第１ベベルギヤ３６と第２ベベルギヤ３８を総称して、単にベベルギヤ４２ともいう。ベベルギヤ４２は、モータ１８の回転を減速してスピンドル４０に伝達する動力伝達機構である。ギヤハウジング１２は、ベアリング４４を介して、スピンドル４０の上方端部を保持している。ギヤハウジング１２の上面には、シャフトロック４６（図１参照）が設けられている。ユーザがシャフトロック４６を操作して下方に押し込むと、第２ベベルギヤ３８の回転が禁止されて、スピンドル４０の回転が禁止される。
【００５０】
ベアリングボックス１４は、ギヤハウジング１２の下方に取り付けられている。ベアリングボックス１４は、ベアリング４８，５０を介して、スピンドル４０を保持している。スピンドル４０はベアリングボックス１４に対して、上下方向に沿った回転軸周りに回転可能である。スピンドル４０の下端近傍には、インナフランジＩＦとアウタフランジＯＦを介して、研削ホイールＧＷを取り付け可能である。電動工具２において、モータ１８が回転すると、スピンドル４０とともに研削ホイールＧＷが回転軸周りに回転することで、ワークの研削を行うことができる。スピンドル４０は、先端工具である研削ホイールＧＷを保持する先端工具保持部ということもできる。なお、以下の説明では、モータハウジング４、リヤハウジング６、スペーサハウジング８、ギヤハウジング１２およびベアリングボックス１４を総称して、単にハウジング５２ともいう。
【００５１】
ベアリングボックス１４には、ホイールカバー１６が取り付けられている。ホイールカバー１６は、研削ホイールＧＷの少なくとも一部を覆う形状に形成されている。本実施例では、ホイールカバー１６は、研削ホイールＧＷの略半周にわたる部分を覆う形状に形成されている。ユーザが電動工具２を使用する際には、ホイールカバー１６は、研削ホイールＧＷの後方の部分を覆う位置に配置される。ホイールカバー１６によって、電動工具２の使用時に、研削ホイールＧＷからユーザに向けて研削粉が飛ぶことを防止することができる。
【００５２】
図３に示すように、スペーサハウジング８は、略円筒形状に形成された円筒部５４と、円筒部５４の後端で径方向外側に突出する後方フランジ５６と、円筒部５４の前端で径方向外側に突出する前方フランジ５８を備えている。スペーサハウジング８には、円筒部５４と、後方フランジ５６と、前方フランジ５８によって、周方向に沿って伸びるガイド溝６０が形成されている。取付部材３０（図４参照）は、円筒部５４の中心軸である回動軸ＳＸ周りに回動可能に、ガイド溝６０に取り付けられる。
【００５３】
図４に示すように、取付部材３０は、バンド部６２と、第１突出部６４と、第２突出部６６を備えている。バンド部６２は、略長方形状の平板を略円筒形状に丸めた形状を有している。バンド部６２の第１端部６２ａには、径方向外側に突出する第１突出部６４が形成されている。バンド部６２の第２端部６２ｂには、径方向外側に突出する第２突出部６６が形成されている。第１突出部６４は、第１軸部６４ａと、第１先端部６４ｂを備えている。第２突出部６６は、第２軸部６６ａと、第２先端部６６ｂを備えている。第１軸部６４ａと第２軸部６６ａは、組み合わせた時に、略円柱形状を構成する。第１軸部６４ａと第２軸部６６ａの外周面には、雄ねじが形成されている。第１先端部６４ｂと第２先端部６６ｂは、組み合わせた時に、円錐台形状を構成する。
【００５４】
図５、図６に示すように、サイドグリップ１０は、把持部６８と、調整部７０を備えている。調整部７０には、ねじ溝７０ａと、収容空間７０ｂが形成されている。ねじ溝７０ａの内周面には、第１軸部６４ａと第２軸部６６ａの雄ねじに対応する雌ねじが形成されている。収容空間７０ｂは、内面が円錐台形状に形成されている。収容空間７０ｂの円錐台形状の母線が中心線に対してなす角度は、第１先端部６４ｂと第２先端部６６ｂからなる円錐台形状の母線が中心線に対してなす角度よりも小さい。すなわち、収容空間７０ｂの円錐台形状の傾斜角は、第１先端部６４ｂと第２先端部６６ｂからなる円錐台形状の傾斜角よりも小さい。
【００５５】
サイドグリップ１０を取付部材３０に取り付けた状態では、第１先端部６４ｂと第２先端部６６ｂが収容空間７０ｂ内に収容された状態で、第１軸部６４ａと第２軸部６６ａがねじ溝７０ａに螺合している。サイドグリップ１０を取付部材３０に対して、回転軸ＲＸ周りにねじが後退する方向に回転させると、サイドグリップ１０はバンド部６２から遠ざかる方向に移動する。図５に示すように、サイドグリップ１０がバンド部６２から遠ざかった状態では、バンド部６２の弾性復元力によって、第１先端部６４ｂと第２先端部６６ｂが、それぞれ収容空間７０ｂの内面に当接する位置まで移動し、第１突出部６４と第２突出部６６が互いに離反する。このため、バンド部６２の第１端部６２ａと第２端部６２ｂの間隔が広がっており、バンド部６２は拡径されている。この状態では、バンド部６２と円筒部５４の間にそれほど摩擦力が作用せず、取付部材３０はスペーサハウジング８に対して周方向に摺動可能となる。このため、スペーサハウジング８に対するサイドグリップ１０の取付位置および取付角度を調整することができる。
【００５６】
サイドグリップ１０を取付部材３０に対して、回転軸ＲＸ周りにねじが前進する方向に回転させると、図６に示すように、サイドグリップ１０がバンド部６２に近づく方向に移動する。サイドグリップ１０がバンド部６２に近づいた状態では、第１先端部６４ｂと第２先端部６６ｂが、それぞれ収容空間７０ｂの内面によって押圧されて、第１突出部６４と第２突出部６６が互いに近接する。このため、バンド部６２の第１端部６２ａと第２端部６２ｂの間隔が狭まり、バンド部６２が縮径される。この状態では、バンド部６２と円筒部５４の間に強い摩擦力が作用するので、取付部材３０はスペーサハウジング８に対して周方向に摺動不能となる。このため、スペーサハウジング８に対するサイドグリップ１０の取付位置および取付角度が固定される。
【００５７】
本実施例の電動工具２では、スペーサハウジング８に対して、サイドグリップ１０を所望の取付位置および取付角度で固定することが可能である。例えば、図１に示すように、サイドグリップ１０を、スペーサハウジング８の左方の取付位置で、スペーサハウジング８から左方に向けて伸びる取付角度で固定することができる。あるいは、図７に示すように、サイドグリップ１０を、スペーサハウジング８の右方の取付位置で、スペーサハウジング８から右方に向けて伸びる取付角度で固定することもできる。あるいは、図８に示すように、サイドグリップ１０を、スペーサハウジング８の上方の取付位置で、スペーサハウジング８の上方に向けて伸びる取付角度で固定することもできる。
【００５８】
本実施例の電動工具２では、ユーザは、サイドグリップ１０やハウジング５２を分解することなくサイドグリップ１０をハウジング５２から取り外すことは不可能である。サイドグリップ１０やハウジング５２を分解するには工具を使用しなければならないから、本実施例の電動工具２では、ユーザは、工具を使用することなくサイドグリップ１０をハウジング５２から取り外すことは不可能である。このような構成とすることで、サイドグリップ１０がハウジング５２から取り外された状態で電動工具２が使用されることを抑制することができる。
【００５９】
上記の実施例では、第１先端部６４ｂおよび第２先端部６６ｂが、組み合わせた時に円錐台形状を構成し、収容空間７０ｂの内面が、第１先端部６４ｂおよび第２先端部６６ｂからなる円錐台形状に比べて傾斜角の小さい円錐台形状を有する構成を例として説明した。第１先端部６４ｂおよび第２先端部６６ｂの形状や、収容空間７０ｂの内面の形状は、上記に限定されるものではなく、収容空間７０ｂの内面が第１先端部６４ｂおよび第２先端部６６ｂに対して相対的に移動したときに、第１先端部６４ｂと第２先端部６６ｂが、互いに離反した状態と、互いに近接した状態を切り替え可能であれば、どのような形状であってもよい。
【００６０】
上記の実施例では、サイドグリップ１０に把持部６８と調整部７０が一体的に形成されている構成について説明したが、把持部６８と調整部７０は別個に設けられていてもよい。例えば、把持部６８を、第１端部６２ａおよび第２端部６２ｂから離れた位置でバンド部６２に固定し、調整部７０を、把持部６８とは別個に第１端部６２ａおよび第２端部６２ｂに設けるようにしてもよい。この場合、調整部７０をバンド部６２に対して回転させることで、取付部材３０がスペーサハウジング８に対して摺動可能な状態と摺動不能な状態の間で切り替えることができる。
【００６１】
以上のように、本実施例の電動工具２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に取り付けられたサイドグリップ１０（ハンドルの例）を備えている。サイドグリップ１０は、工具を使用しなければ、ハウジング５２から取り外し不能である。
【００６２】
上記の構成によれば、ユーザは工具を使用しなければサイドグリップ１０を取り外すことができないので、サイドグリップ１０が取り外された状態で電動工具２が使用されることを抑制することができる。
【００６３】
本実施例の電動工具２はさらに、ハウジング５２に対して回動軸ＳＸ周りに回動可能にハウジング５２に取り付けられており、サイドグリップ１０を保持する取付部材３０を備えている。電動工具２は、取付部材３０のハウジング５２に対する回動軸ＳＸ周りの回動を許容する状態と禁止する状態の間で切り替え可能である。
【００６４】
上記の構成によれば、サイドグリップ１０のハウジング５２に対する取付位置や取付角度を、ユーザが自由に調整することができるので、ユーザの利便性を向上することができる。
【００６５】
本実施例の電動工具２において、ハウジング５２は、回動軸ＳＸを中心軸とする円筒部５４を有している。取付部材３０は、円筒部５４に対して摺動可能に当接しており、第１端部６２ａと、第２端部６２ｂを有するバンド部６２（バンドの例）を備えている。電動工具２は、バンド部６２の第１端部６２ａと第２端部６２ｂの間の間隔が広がった場合に、取付部材３０のハウジング５２に対する回動軸ＳＸ周りの回動を許容する。電動工具２は、バンド部６２の第１端部６２ａと第２端部６２ｂの間の間隔が狭まった場合に、バンド部６２と円筒部５４の間に作用する摩擦力によって、取付部材３０のハウジング５２に対する回動軸ＳＸ周りの回動を禁止する。
【００６６】
上記の構成によれば、簡素な構成によって、取付部材３０のハウジング５２に対する回動軸ＳＸ周りの回動を許容する状態と禁止する状態の間で切り替えることができる。
【００６７】
本実施例の電動工具２においては、バンド部６２の第１端部６２ａに、外側に向けて突出する第１突出部６４が設けられている。バンド部６２の第２端部６２ｂに、外側に向けて突出する第２突出部６６が設けられている。電動工具２はさらに、第１突出部６４と第２突出部６６を収容する収容空間７０ｂを有する調整部７０（調整部材の例）を備えている。調整部７０は、バンド部６２に対して回転軸ＲＸ周りに回転させることでバンド部６２に対して進退するようにバンド部６２に取り付けられている。調整部７０がバンド部６２に対して後退した位置にある場合に、収容空間７０ｂの内部で第１突出部６４と第２突出部６６は互いに離反する。調整部７０がバンド部６２に対して前進した位置にある場合に、第１突出部６４と第２突出部６６のそれぞれが収容空間７０ｂの内面に当接して押圧されて、第１突出部６４と第２突出部６６が互いに近接する。
【００６８】
上記の構成によれば、簡素な構成によって、バンド部６２の第１端部６２ａと第２端部６２ｂの間の間隔が広がった状態と、バンド部６２の第１端部６２ａと第２端部６２ｂの間の間隔が狭まった状態の間で切り替えることができる。
【００６９】
本実施例の電動工具２において、サイドグリップ１０は、取付部材３０に回転軸ＲＸ周りに回転可能に保持されている。調整部７０は、サイドグリップ１０に固定されている。
【００７０】
上記の構成によれば、サイドグリップ１０を取付部材３０に対して回転軸ＲＸ周りに回転させることで、バンド部６２の第１端部６２ａと第２端部６２ｂの間の間隔が広がった状態と、バンド部６２の第１端部６２ａと第２端部６２ｂの間の間隔が狭まった状態の間で切り替えることができる。
【００７１】
本実施例の電動工具２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に取り付けられたサイドグリップ１０（ハンドルの例）を備えている。サイドグリップ１０は、ハウジング５２および／またはサイドグリップ１０を分解しなければ、ハウジング５２から取り外し不能である。
【００７２】
上記の構成によれば、ユーザはハウジング５２および／またはサイドグリップ１０を分解しなければサイドグリップ１０を取り外すことができないので、サイドグリップ１０が取り外された状態で電動工具２が使用されることを抑制することができる。
【００７３】
本実施例の電動工具２は、ハウジング５２に着脱可能に取り付けられており、モータ１８に電力を供給するバッテリ（図示せず）をさらに備えていてもよい。
【００７４】
上記の構成によれば、外部の電源に電源コード２６で接続することなく、モータ１８に電力を供給することができる。
【００７５】
本実施例の電動工具２では、先端工具として、研削ホイールＧＷを使用可能である。電動工具２は、グラインダとして機能する。
【００７６】
上記の構成によれば、グラインダとして機能する電動工具２が、サイドグリップ１０が取り外された状態で使用されることを防止することができる。
【００７７】
本実施例の電動工具２において、ハウジング５２は、モータハウジング４（グリップの例）を備えている。ユーザは、一方の手でモータハウジング４を把持し、他方の手でサイドグリップ１０を把持した状態で、電動工具２を使用可能である。
【００７８】
上記の構成によれば、ユーザは、電動工具２を使用する際に、一方の手でモータハウジング４を把持し、他方の手でサイドグリップ１０を把持して、電動工具２を安定して保持することができる。
【００７９】
（実施例２）
図９に示すように、本実施例の電動工具１０２は、実施例１の電動工具２と略同様の構成を備えている。以下では、本実施例の電動工具１０２について、実施例１の電動工具２と相違する点について説明する。
【００８０】
図１０に示すように、本実施例の電動工具１０２は、スペーサハウジング８の代わりに、スペーサハウジング１０４が、モータハウジング４とギヤハウジング１２の間に設けられている。スペーサハウジング１０４は、略円筒形状に形成された円筒部１０６を備えている。なお、本実施例の電動工具１０２では、モータハウジング４に、円筒部１０６の後端で径方向外側に突出する後方フランジ１０８が形成されている。また、本実施例の電動工具１０２では、ギヤハウジング１２に、円筒部１０６の前端で径方向外側に突出する前方フランジ１１０が形成されている。本実施例の電動工具１０２では、円筒部１０６と、後方フランジ１０８と、前方フランジ１１０によって、周方向に沿って伸びるガイド溝１１２が形成されている。
【００８１】
図９に示すように、本実施例の電動工具１０２では、取付部材３０の代わりに、取付部材１１４が、スペーサハウジング１０４に取り付けられている。取付部材１１４は、スペーサハウジング１０４の円筒部１０６の中心軸である回動軸ＳＸ（図１２、図１３参照）周りに回動可能に、ガイド溝１１２に取り付けられている。また、本実施例の電動工具１０２では、サイドグリップ１０の代わりに、サイドグリップ１１６が、取付部材１１４に取り付けられている。
【００８２】
図１１に示すように、取付部材１１４は、バンド部１１８と、バンド部１１８の第１端部１１８ａに形成されたボルト保持部１２０と、バンド部１１８の第２端部１１８ｂに形成されたグリップ取付部１２２を備えている。バンド部１１８の内周面は、円筒部１０６に対して摺動可能な形状に形成されている。
【００８３】
図１２に示すように、ボルト保持部１２０には、六角ボルト１２４の頭部１２４ａが嵌合する嵌合部１２６と、六角ボルト１２４の軸部１２４ｂが貫通する貫通孔１２８が形成されている。グリップ取付部１２２には、六角ボルト１２４の軸部１２４ｂが貫通する貫通孔１３０と、受入孔１３２と、当接部１３４が形成されている。
【００８４】
サイドグリップ１１６は、把持部１３６と、鍔部１３８と、筒部１４０と、嵌合部１４２を備えている。鍔部１３８はグリップ取付部１２２の当接部１３４に対向して配置されている。筒部１４０は、グリップ取付部１２２の受入孔１３２に挿入されている。筒部１４０には、六角ボルト１２４の軸部１２４ｂが貫通する貫通孔１４４が形成されている。嵌合部１４２には、六角ボルト１２４の軸部１２４ｂに螺合した六角ナット１４６が嵌合している。サイドグリップ１１６を取付部材１１４に対して回転させると、六角ボルト１２４の頭部１２４ａは取付部材１１４の嵌合部１２６に嵌合しており、六角ナット１４６はサイドグリップ１１６の嵌合部１４２に嵌合しているので、六角ナット１４６が六角ボルト１２４の軸部１２４ｂに対して回転する。なお、六角ボルト１２４の軸部１２４ｂの先端には、抜け止め片１４８が設けられている。
【００８５】
図１２に示すように、サイドグリップ１１６を取付部材１１４に対して、回転軸ＲＸ周りに、六角ナット１４６が六角ボルト１２４の頭部１２４ａに対して後退する方向に回転させると、サイドグリップ１１６は取付部材１１４から遠ざかる方向に移動する。サイドグリップ１１６が取付部材１１４から遠ざかった状態では、バンド部１１８の弾性復元力によって、ボルト保持部１２０とグリップ取付部１２２が互いに遠ざかる方向に移動しており、取付部材１１４は拡径されている。この状態では、バンド部１１８とスペーサハウジング１０４の間にそれほど摩擦力が作用せず、取付部材１１４はスペーサハウジング１０４に対して周方向に摺動可能となる。このため、スペーサハウジング１０４に対するサイドグリップ１１６の取付位置および取付角度を調整することができる。
【００８６】
図１３に示すように、サイドグリップ１１６を取付部材１１４に対して、回転軸ＲＸ周りに、六角ナット１４６が六角ボルト１２４の頭部１２４ａに対して前進する方向に回転させると、サイドグリップ１１６は取付部材１１４に近づく方向に移動する。この際に、サイドグリップ１１６の鍔部１３８が取付部材１１４の当接部１３４に当接して押圧するので、ボルト保持部１２０とグリップ取付部１２２が互いに近づく方向に移動し、取付部材１１４は縮径される。この状態では、バンド部１１８とスペーサハウジング１０４の間に強い摩擦力が作用するので、取付部材１１４はスペーサハウジング１０４に対して周方向に摺動不能となる。このため、スペーサハウジング１０４に対するサイドグリップ１１６の取付位置および取付角度が固定される。
【００８７】
本実施例の電動工具１０２では、スペーサハウジング１０４に対して、サイドグリップ１１６を所望の取付位置および取付角度で固定することが可能である。例えば、図９に示すように、サイドグリップ１１６を、スペーサハウジング１０４の上方の取付位置で、スペーサハウジング１０４から左方に伸びる取付角度で固定することができる。あるいは、図１４に示すように、サイドグリップ１１６を、スペーサハウジング１０４の右方の取付位置で、スペーサハウジング１０４から上方に伸びる取付角度で固定することもできる。
【００８８】
本実施例の電動工具１０２では、ユーザは、サイドグリップ１１６やハウジング５２を分解することなくサイドグリップ１１６をハウジング５２から取り外すことは不可能である。サイドグリップ１１６やハウジング５２を分解するには工具を使用しなければならないから、本実施例の電動工具１０２では、ユーザは、工具を使用することなくサイドグリップ１１６をハウジング５２から取り外すことは不可能である。このような構成とすることで、サイドグリップ１１６がハウジング５２から取り外された状態で電動工具１０２が使用されることを抑制することができる。
【００８９】
上記の実施例では、サイドグリップ１１６に、把持部１３６と、鍔部１３８と、筒部１４０と、嵌合部１４２が一体的に形成されている構成について説明したが、把持部６８のみを別個の部材として、第１端部１１８ａおよび第２端部１１８ｂから離れた位置でバンド部１１８に固定し、他の部分を調整部材として、グリップ取付部１２２に設けるようにしてもよい。この場合、調整部材を取付部材１１４に対して回転させることで、取付部材１１４がスペーサハウジング１０４に対して摺動可能な状態と摺動不能な状態の間で切り替えることができる。
【００９０】
以上のように、本実施例の電動工具１０２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に取り付けられたサイドグリップ１１６（ハンドルの例）を備えている。サイドグリップ１１６は、工具を使用しなければ、ハウジング５２から取り外し不能である。
【００９１】
上記の構成によれば、ユーザは工具を使用しなければサイドグリップ１１６を取り外すことができないので、サイドグリップ１１６が取り外された状態で電動工具１０２が使用されることを抑制することができる。
【００９２】
本実施例の電動工具１０２はさらに、ハウジング５２に対して回動軸ＳＸ周りに回動可能にハウジング５２に取り付けられており、サイドグリップ１１６を保持する取付部材１１４を備えている。電動工具１０２は、取付部材１１４のハウジング５２に対する回動軸ＳＸ周りの回動を許容する状態と禁止する状態の間で切り替え可能である。
【００９３】
上記の構成によれば、サイドグリップ１１６のハウジング５２に対する取付位置や取付角度を、ユーザが自由に調整することができるので、ユーザの利便性を向上することができる。
【００９４】
１つまたはそれ以上の実施形態において、ハウジング５２は、回動軸ＳＸを中心軸とする円筒部１０６を有している。取付部材１１４は、円筒部１０６に対して摺動可能に当接しており、第１端部１１８ａと、第２端部１１８ｂを有するバンド部１１８（バンドの例）を備えている。電動工具１０２は、バンド部１１８の第１端部１１８ａと第２端部１１８ｂの間の間隔が広がった場合に、取付部材１１４のハウジング５２に対する回動軸ＳＸ周りの回動を許容する。電動工具１０２は、バンド部１１８の第１端部１１８ａと第２端部１１８ｂの間の間隔が狭まった場合に、バンド部１１８と円筒部１０６の間に作用する摩擦力によって、取付部材１１４のハウジング５２に対する回動軸ＳＸ周りの回動を禁止する。
【００９５】
上記の構成によれば、簡素な構成によって、取付部材１１４のハウジング５２に対する回動軸ＳＸ周りの回動を許容する状態と禁止する状態の間で切り替えることができる。
【００９６】
本実施例の電動工具１０２においては、バンド部１１８の第１端部１１８ａに、外側に向けて突出するボルト保持部１２０（第１突出部の例）が設けられている。バンド部１１８の第２端部１１８ｂに、外側に向けて突出するグリップ取付部１２２（第２突出部の例）が設けられている。電動工具１０２はさらに、頭部１２４ａと軸部１２４ｂを有する六角ボルト１２４（ボルトの例）と、六角ボルト１２４の軸部１２４ｂに螺合した六角ナット１４６（ナットの例）を備えている。六角ボルト１２４の軸部１２４ｂは、ボルト保持部１２０とグリップ取付部１２２を貫通している。ボルト保持部１２０とグリップ取付部１２２は、六角ボルト１２４の頭部１２４ａと六角ナット１４６の間に配置されている。六角ナット１４６が六角ボルト１２４の頭部１２４ａに対して後退した位置にある場合に、ボルト保持部１２０とグリップ取付部１２２は互いに離反する。六角ナット１４６が六角ボルト１２４の頭部１２４ａに対して前進した位置にある場合に、ボルト保持部１２０とグリップ取付部１２２が六角ボルト１２４の頭部１２４ａと六角ナット１４６によって挟み込まれて、ボルト保持部１２０とグリップ取付部１２２が互いに近接する。
【００９７】
上記の構成によれば、簡素な構成によって、バンド部１１８の第１端部１１８ａと第２端部１１８ｂの間の間隔が広がった状態と、バンド部１１８の第１端部１１８ａと第２端部１１８ｂの間の間隔が狭まった状態の間で切り替えることができる。
【００９８】
本実施例の電動工具１０２において、サイドグリップ１１６は、取付部材１１４に六角ボルト１２４の軸部１２４ｂ周りに回転可能に保持されている。六角ボルト１２４の頭部１２４ａは、取付部材１１４に対して固定されている。六角ナット１４６は、サイドグリップ１１６に対して固定されている。
【００９９】
上記の構成によれば、サイドグリップ１１６を取付部材１１４に対して、六角ボルト１２４の軸部１２４ｂに沿った回転軸ＲＸ周りに回転させることで、バンド部１１８の第１端部１１８ａと第２端部１１８ｂの間の間隔が広がった状態と、バンド部１１８の第１端部１１８ａと第２端部１１８ｂの間の間隔が狭まった状態の間で切り替えることができる。
【０１００】
本実施例の電動工具１０２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に取り付けられたサイドグリップ１１６（ハンドルの例）を備えている。サイドグリップ１１６は、ハウジング５２および／またはサイドグリップ１１６を分解しなければ、ハウジング５２から取り外し不能である。
【０１０１】
上記の構成によれば、ユーザはハウジング５２および／またはサイドグリップ１１６を分解しなければサイドグリップ１１６を取り外すことができないので、サイドグリップ１１６が取り外された状態で電動工具１０２が使用されることを抑制することができる。
【０１０２】
本実施例の電動工具１０２は、ハウジング５２に着脱可能に取り付けられており、モータ１８に電力を供給するバッテリ（図示せず）をさらに備えていてもよい。
【０１０３】
上記の構成によれば、外部の電源に電源コード２６で接続することなく、モータ１８に電力を供給することができる。
【０１０４】
本実施例の電動工具１０２では、先端工具として、研削ホイールＧＷを使用可能である。電動工具１０２は、グラインダとして機能する。
【０１０５】
上記の構成によれば、グラインダとして機能する電動工具１０２が、サイドグリップ１１６が取り外された状態で使用されることを防止することができる。
【０１０６】
本実施例の電動工具１０２において、ハウジング５２は、モータハウジング４（グリップの例）を備えている。ユーザは、一方の手でモータハウジング４を把持し、他方の手でサイドグリップ１１６を把持した状態で、電動工具１０２を使用可能である。
【０１０７】
上記の構成によれば、ユーザは、電動工具１０２を使用する際に、一方の手でモータハウジング４を把持し、他方の手でサイドグリップ１１６を把持して、電動工具１０２を安定して保持することができる。
【０１０８】
（実施例３）
図１５に示すように、本実施例の電動工具２０２は、実施例１の電動工具２と略同様の構成を備えている。以下では、本実施例の電動工具２０２について、実施例１の電動工具２と相違する点について説明する。
【０１０９】
図１６に示すように、本実施例の電動工具２０２は、スペーサハウジング８の代わりに、スペーサハウジング２０４が、モータハウジング４とギヤハウジング１２の間に設けられている。スペーサハウジング２０４は、略円筒形状に形成された円筒部２０６を備えている。なお、本実施例の電動工具２０２では、モータハウジング４に、円筒部２０６の後端で径方向外側に突出する後方フランジ２０８が形成されている。また、本実施例の電動工具２０２では、ギヤハウジング１２に、円筒部２０６の前端で径方向外側に突出する前方フランジ２１０が形成されている。本実施例の電動工具２０２では、円筒部２０６と、後方フランジ２０８と、前方フランジ２１０によって、周方向に沿って伸びるガイド溝２１２が形成されている。
【０１１０】
図１５に示すように、本実施例の電動工具２０２では、取付部材３０の代わりに、取付部材２１４が、スペーサハウジング２０４に取り付けられている。取付部材２１４は、スペーサハウジング２０４の円筒部２０６の中心軸である回動軸ＳＸ（図１８、図１９参照）周りに回動可能に、ガイド溝２１２に取り付けられている。また、本実施例の電動工具２０２では、サイドグリップ１０の代わりに、サイドグリップ２１６が、取付部材２１４に取り付けられている。
【０１１１】
図１７に示すように、取付部材２１４は、バンド２１８と、バンド保持部材２２０を備えている。図１８に示すように、バンド２１８は、略長方形状の平板の第１端部２１８ａと第２端部２１８ｂを重ね合わせて接合した形状を有している。バンド２１８の周長は、スペーサハウジング２０４の円筒部２０６の周長よりも大きい。バンド２１８の第１端部２１８ａには、貫通孔２１８ｃが形成されており、バンド２１８の第２端部２１８ｂには貫通孔２１８ｄが形成されている。バンド保持部材２２０は、ケース２２２と、ボルト２２４と、ホルダ２２６を備えている。図１７に示すように、ケース２２２は、スペーサハウジング２０４に向かって開口した箱型の形状を有している。ケース２２２の開口縁２２２ａは、ギヤハウジング１２の前方フランジ２１０に摺動可能に当接する形状を有している。ケース２２２の開口縁２２２ｂは、モータハウジング４の後方フランジ２０８に摺動可能に当接する形状を有している。図１８に示すように、ケース２２２の底板２２２ｃには、貫通孔２２２ｄが形成されている。ホルダ２２６は、ケース２２２に対して回転不能に、ケース２２２内に収容されている。ホルダ２２６には、貫通孔２２６ａが形成されている。ボルト２２４は、頭部２２４ａがホルダ２２６に固定されており、軸部２２４ｂがホルダ２２６の貫通孔２２６ａ、バンド２１８の貫通孔２１８ｃ、２１８ｄ、ケース２２２の貫通孔２２２ｄを貫通している。
【０１１２】
サイドグリップ２１６は、把持部２２８と、鍔部２３０と、嵌合部２３２を備えている。鍔部２３０はケース２２２の底板２２２ｃに対向して配置されている。嵌合部２３２には、ボルト２２４の軸部２２４ｂに螺合した六角ナット２３４が嵌合している。サイドグリップ２１６をケース２２２に対して回転させると、ボルト２２４の頭部２２４ａはケース２２２に対して回転不能であり、六角ナット２３４はサイドグリップ２１６の嵌合部２３２に嵌合しているので、六角ナット２３４がボルト２２４の軸部２２４ｂに対して回転する。なお、ボルト２２４の軸部２２４ｂの先端には、抜け止め片２３６が設けられている。
【０１１３】
図１８に示すように、サイドグリップ２１６をケース２２２に対して、回転軸ＲＸ周りに、六角ナット２３４がボルト２２４の頭部２２４ａに対して後退する方向に回転させると、サイドグリップ２１６はケース２２２から遠ざかる方向に移動する。サイドグリップ２１６がケース２２２から遠ざかった状態では、ホルダ２２６がスペーサハウジング２０４に近い位置にあり、バンド２１８にそれほど大きな張力が作用しないので、バンド２１８とスペーサハウジング２０４の間にそれほど摩擦力が作用せず、取付部材２１４はスペーサハウジング２０４に対して周方向に摺動可能となる。このため、スペーサハウジング２０４に対するサイドグリップ２１６の取付位置および取付角度を調整することができる。
【０１１４】
図１９に示すように、サイドグリップ２１６をケース２２２に対して、回転軸ＲＸ周りに、六角ナット２３４がボルト２２４の頭部２２４ａに対して前進する方向に回転させると、サイドグリップ２１６はケース２２２に近づく方向に移動する。この際に、サイドグリップ２１６の鍔部２３０がケース２２２の底板２２２ｃに当接するとともに、ホルダ２２６がボルト２２４の頭部２２４ａとともにスペーサハウジング２０４から遠い位置に移動し、バンド２１８に大きな張力が作用するので、バンド２１８とスペーサハウジング２０４の間に強い摩擦力が作用し、取付部材２１４はスペーサハウジング２０４に対して周方向に摺動不能となる。このため、スペーサハウジング２０４に対するサイドグリップ２１６の取付位置および取付角度が固定される。
【０１１５】
本実施例の電動工具２０２では、スペーサハウジング２０４に対して、サイドグリップ２１６を所望の取付位置および取付角度で固定することが可能である。例えば、図１５に示すように、サイドグリップ２１６を、スペーサハウジング２０４の左方の取付位置で、スペーサハウジング２０４から左方に伸びる取付角度で固定することができる。あるいは、図２０に示すように、サイドグリップ２１６を、スペーサハウジング２０４の右方の取付位置で、スペーサハウジング２０４から右方に伸びる取付角度で固定することもできる。あるいは、図２１に示すように、サイドグリップ２１６を、スペーサハウジング２０４の上方の取付位置で、スペーサハウジング２０４から上方に伸びる取付角度で固定することもできる。
【０１１６】
本実施例の電動工具２０２では、ユーザは、サイドグリップ２１６やハウジング５２を分解することなくサイドグリップ２１６をハウジング５２から取り外すことは不可能である。サイドグリップ２１６やハウジング５２を分解するには工具を使用しなければならないから、本実施例の電動工具２０２では、ユーザは、工具を使用することなくサイドグリップ２１６をハウジング５２から取り外すことは不可能である。このような構成とすることで、サイドグリップ２１６がハウジング５２から取り外された状態で電動工具２０２が使用されることを抑制することができる。
【０１１７】
上記の実施例では、バンド２１８について、第１端部２１８ａと第２端部２１８ｂを重ね合わせて接合した構成について説明したが、第１端部２１８ａと第２端部２１８ｂは互いに重ね合わせて接合されていなくてもよい。この場合、例えば、第１端部２１８ａをホルダ２２６の一部分に固定し、第２端部２１８ｂをホルダ２２６の他の部分に固定することによって、上記と同様の動作をさせることができる。
【０１１８】
上記の実施例では、サイドグリップ２１６に、把持部２２８と、鍔部２３０と、嵌合部２３２が一体的に形成されている構成について説明したが、把持部２２８のみを別個の部材として、第１端部２１８ａおよび第２端部２１８ｂから離れた位置でバンド２１８に固定し、他の部分を調整部材として、バンド保持部材２２０に設けるようにしてもよい。この場合、調整部材をバンド保持部材２２０に対して回転させることで、取付部材２１４がスペーサハウジング２０４に対して摺動可能な状態と摺動不能な状態の間で切り替えることができる。
【０１１９】
以上のように、本実施例の電動工具２０２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に取り付けられたサイドグリップ２１６（ハンドルの例）を備えている。サイドグリップ２１６は、工具を使用しなければ、ハウジング５２から取り外し不能である。
【０１２０】
上記の構成によれば、ユーザは工具を使用しなければサイドグリップ２１６を取り外すことができないので、サイドグリップ２１６が取り外された状態で電動工具２０２が使用されることを抑制することができる。
【０１２１】
本実施例の電動工具２０２はさらに、ハウジング５２に対して回動軸ＳＸ周りに回動可能にハウジング５２に取り付けられており、サイドグリップ２１６を保持する取付部材２１４を備えている。電動工具２０２は、取付部材２１４のハウジング５２に対する回動軸ＳＸ周りの回動を許容する状態と禁止する状態の間で切り替え可能である。
【０１２２】
上記の構成によれば、サイドグリップ２１６のハウジング５２に対する取付位置や取付角度を、ユーザが自由に調整することができるので、ユーザの利便性を向上することができる。
【０１２３】
本実施例の電動工具２０２において、ハウジング５２は、回動軸ＳＸを中心軸とする円筒部２０６を有している。取付部材２１４は、円筒部２０６に対して摺動可能に当接しており、第１端部２１８ａと、第２端部２１８ｂを有するバンド２１８と、バンド２１８の第１端部２１８ａおよび第２端部２１８ｂを保持しており、回動軸ＳＸに直交する方向におけるハウジング５２からの位置を調整可能なホルダ２２６（可動部材の例）を備えている。電動工具２０２は、ホルダ２２６がハウジング５２に近い位置にある場合に、取付部材２１４のハウジング５２に対する回動軸ＳＸ周りの回動を許容する。電動工具２０２は、ホルダ２２６がハウジング５２から遠い位置にある場合に、バンド２１８と円筒部２０６の間に作用する摩擦力によって、取付部材２１４のハウジング５２に対する回動軸ＳＸ周りの回動を禁止する。
【０１２４】
上記の構成によれば、簡素な構成によって、取付部材２１４のハウジング５２に対する回動軸ＳＸ周りの回動を許容する状態と禁止する状態の間で切り替えることができる。
【０１２５】
本実施例の電動工具２０２において、取付部材２１４はさらに、回動軸ＳＸに直交する方向におけるハウジング５２からの位置が固定されており、ホルダ２２６よりもハウジング５２から離れて配置された底板２２２ｃ（ベース部材の例）を備えている。電動工具２０２はさらに、頭部２２４ａと軸部２２４ｂを有するボルト２２４と、ボルト２２４の軸部２２４ｂに螺合した六角ナット２３４（ナットの例）を備えている。ボルト２２４の軸部２２４ｂは、ホルダ２２６と底板２２２ｃを貫通している。ホルダ２２６と底板２２２ｃは、ボルト２２４の頭部２２４ａと六角ナット２３４の間に配置されている。六角ナット２３４がボルト２２４の頭部２２４ａに対して後退した位置にある場合に、ホルダ２２６が底板２２２ｃから離反する。六角ナット２３４がボルト２２４の頭部２２４ａに対して前進した位置にある場合に、ホルダ２２６と底板２２２ｃがボルト２２４の頭部２２４ａと六角ナット２３４によって挟み込まれて、ホルダ２２６が底板２２２ｃに近接する。
【０１２６】
上記の構成によれば、簡素な構成によって、ホルダ２２６が底板２２２ｃから離反した状態、すなわちホルダ２２６がハウジング５２に近い位置にある状態と、ホルダ２２６が底板２２２ｃに近接した状態、すなわちホルダ２２６がハウジング５２から遠い位置にある状態の間で切り替えることができる。
【０１２７】
本実施例の電動工具２０２において、サイドグリップ２１６は、取付部材２１４にボルト２２４の軸部２２４ｂ周りに回転可能に保持されている。ボルト２２４の頭部２２４ａは、ホルダ２２６に対して固定されている。六角ナット２３４は、サイドグリップ２１６に対して固定されている。
【０１２８】
上記の構成によれば、サイドグリップ２１６を取付部材２１４に対して、ボルト２２４の軸部２２４ｂに沿った回転軸ＲＸ周りに回転させることで、ホルダ２２６が底板２２２ｃから離反した状態、すなわちホルダ２２６がハウジング５２に近い位置にある状態と、ホルダ２２６が底板２２２ｃに近接した状態、すなわちホルダ２２６がハウジング５２から遠い位置にある状態の間で切り替えることができる。
【０１２９】
本実施例の電動工具２０２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に取り付けられたサイドグリップ２１６（ハンドルの例）を備えている。サイドグリップ２１６は、ハウジング５２および／またはサイドグリップ２１６を分解しなければ、ハウジング５２から取り外し不能である。
【０１３０】
上記の構成によれば、ユーザはハウジング５２および／またはサイドグリップ２１６を分解しなければサイドグリップ２１６を取り外すことができないので、サイドグリップ２１６が取り外された状態で電動工具２０２が使用されることを抑制することができる。
【０１３１】
本実施例の電動工具２０２は、ハウジング５２に着脱可能に取り付けられており、モータ１８に電力を供給するバッテリ（図示せず）をさらに備えていてもよい。
【０１３２】
上記の構成によれば、外部の電源に電源コード２６で接続することなく、モータ１８に電力を供給することができる。
【０１３３】
本実施例の電動工具２０２では、先端工具として、研削ホイールＧＷを使用可能である。電動工具２０２は、グラインダとして機能する。
【０１３４】
上記の構成によれば、グラインダとして機能する電動工具２０２が、サイドグリップ２１６が取り外された状態で使用されることを防止することができる。
【０１３５】
本実施例の電動工具２０２において、ハウジング５２は、モータハウジング４（グリップの例）を備えている。ユーザは、一方の手でモータハウジング４を把持し、他方の手でサイドグリップ２１６を把持した状態で、電動工具２０２を使用可能である。
【０１３６】
上記の構成によれば、ユーザは、電動工具２０２を使用する際に、一方の手でモータハウジング４を把持し、他方の手でサイドグリップ２１６を把持して、電動工具２０２を安定して保持することができる。
【０１３７】
（実施例４）
図２２に示すように、本実施例の電動工具３０２は、実施例１の電動工具２と略同様の構成を備えている。以下では、本実施例の電動工具３０２について、実施例１の電動工具２と相違する点について説明する。
【０１３８】
本実施例の電動工具３０２は、スペーサハウジング８の代わりに、スペーサハウジング３０４が、モータハウジング４とギヤハウジング１２の間に設けられている。また、本実施例の電動工具３０２は、サイドグリップ１０の代わりに、サイドグリップ３０６を備えている。
【０１３９】
図２３に示すように、本実施例の電動工具３０２では、サイドグリップ３０６がスペーサハウジング３０４と一体的に形成されている。このため、ユーザは、サイドグリップ３０６をハウジング５２から取り外すことは不可能である。このような構成とすることで、サイドグリップ３０６がハウジング５２から取り外された状態で電動工具３０２が使用されることを防止することができる。
【０１４０】
以上のように、本実施例の電動工具３０２は、モータ１８と、モータ１８に接続されたベベルギヤ４２（動力伝達機構の例）と、モータ１８およびベベルギヤ４２を収容するハウジング５２と、ベベルギヤ４２に接続されており、研削ホイールＧＷ（先端工具の例）を着脱可能なスピンドル４０（先端工具保持部の例）と、ハウジング５２に一体的に形成されたサイドグリップ３０６（ハンドルの例）を備えている。
【０１４１】
上記の構成によれば、ユーザはハウジング５２からサイドグリップ３０６を取り外すことができないので、サイドグリップ３０６が取り外された状態で電動工具３０２が使用されることを防止することができる。
【０１４２】
本実施例の電動工具３０２は、ハウジング５２に着脱可能に取り付けられており、モータ１８に電力を供給するバッテリ（図示せず）をさらに備えていてもよい。
【０１４３】
上記の構成によれば、外部の電源に電源コード２６で接続することなく、モータ１８に電力を供給することができる。
【０１４４】
本実施例の電動工具３０２では、先端工具として、研削ホイールＧＷを使用可能である。電動工具３０２は、グラインダとして機能する。
【０１４５】
上記の構成によれば、グラインダとして機能する電動工具３０２が、サイドグリップ３０６が取り外された状態で使用されることを防止することができる。
【０１４６】
本実施例の電動工具３０２において、ハウジング５２は、モータハウジング４（グリップの例）を備えている。ユーザは、一方の手でモータハウジング４を把持し、他方の手でサイドグリップ３０６を把持した状態で、電動工具３０２を使用可能である。
【０１４７】
上記の構成によれば、ユーザは、電動工具３０２を使用する際に、一方の手でモータハウジング４を把持し、他方の手でサイドグリップ３０６を把持して、電動工具３０２を安定して保持することができる。
【０１４８】
（変形例）
上記の実施例では、電動工具２，１０２，２０２，３０２がグラインダであり、動力伝達機構がベベルギヤ４２であり、先端工具が研削ホイールＧＷであり、先端工具保持部がスピンドル４０であり、グリップがモータハウジング４であり、ハンドルがサイドグリップ１０，１１６，２１６，３０６である場合について説明した。これとは異なり、電動工具２，１０２，２０２，３０２は、ドライバドリルやハンマドリル等の、他の種類の電動工具であってもよい。また、動力伝達機構は他の種類の動力伝達機構であってもよく、先端工具は他の種類の先端工具であってもよく、先端工具保持部は他の種類の先端工具保持部であってもよく、グリップは他の種類のグリップであってもよく、ハンドルは他の種類のハンドルであってもよい。
【符号の説明】
【０１４９】
２        ：電動工具
４        ：モータハウジング
６        ：リヤハウジング
８        ：スペーサハウジング
１０      ：サイドグリップ
１２      ：ギヤハウジング
１４      ：ベアリングボックス
１６      ：ホイールカバー
１８      ：モータ
２０      ：出力シャフト
２２      ：ベアリング
２４      ：電源回路
２６      ：電源コード
２８      ：スライドスイッチ
３０      ：取付部材
３２      ：ねじ
３４      ：ベアリング
３６      ：第１ベベルギヤ
３８      ：第２ベベルギヤ
４０      ：スピンドル
４２      ：ベベルギヤ
４４      ：ベアリング
４６      ：シャフトロック
４８      ：ベアリング
５０      ：ベアリング
５２      ：ハウジング
５４      ：円筒部
５６      ：後方フランジ
５８      ：前方フランジ
６０      ：ガイド溝
６２      ：バンド部
６２ａ    ：第１端部
６２ｂ    ：第２端部
６４      ：第１突出部
６４ａ    ：第１軸部
６４ｂ    ：第１先端部
６６      ：第２突出部
６６ａ    ：第２軸部
６６ｂ    ：第２先端部
６８      ：把持部
７０      ：調整部
７０ａ    ：ねじ溝
７０ｂ    ：収容空間
１０２    ：電動工具
１０４    ：スペーサハウジング
１０６    ：円筒部
１０８    ：後方フランジ
１１０    ：前方フランジ
１１２    ：ガイド溝
１１４    ：取付部材
１１６    ：サイドグリップ
１１８    ：バンド部
１１８ａ  ：第１端部
１１８ｂ  ：第２端部
１２０    ：ボルト保持部
１２２    ：グリップ取付部
１２４    ：六角ボルト
１２４ａ  ：頭部
１２４ｂ  ：軸部
１２６    ：嵌合部
１２８    ：貫通孔
１３０    ：貫通孔
１３２    ：受入孔
１３４    ：当接部
１３６    ：把持部
１３８    ：鍔部
１４０    ：筒部
１４２    ：嵌合部
１４４    ：貫通孔
１４６    ：六角ナット
１４８    ：抜け止め片
２０２    ：電動工具
２０４    ：スペーサハウジング
２０６    ：円筒部
２０８    ：後方フランジ
２１０    ：前方フランジ
２１２    ：ガイド溝
２１４    ：取付部材
２１６    ：サイドグリップ
２１８    ：バンド
２１８ａ  ：第１端部
２１８ｂ  ：第２端部
２１８ｃ  ：貫通孔
２１８ｄ  ：貫通孔
２２０    ：バンド保持部材
２２２    ：ケース
２２２ａ  ：開口縁
２２２ｂ  ：開口縁
２２２ｃ  ：底板
２２２ｄ  ：貫通孔
２２４    ：ボルト
２２４ａ  ：頭部
２２４ｂ  ：軸部
２２６    ：ホルダ
２２６ａ  ：貫通孔
２２８    ：把持部
２３０    ：鍔部
２３２    ：嵌合部
２３４    ：六角ナット
２３６    ：抜け止め片
３０２    ：電動工具
３０４    ：スペーサハウジング
３０６    ：サイドグリップ
【図１】
2020179491.tif 000003
【図２】
2020179491.tif 000004
【図３】
2020179491.tif 000005
【図４】
2020179491.tif 000006
【図５】
2020179491.tif 000007
【図６】
2020179491.tif 000008
【図７】
2020179491.tif 000009
【図８】
2020179491.tif 000010
【図９】
2020179491.tif 000011
【図１０】
2020179491.tif 000012
【図１１】
2020179491.tif 000013
【図１２】
2020179491.tif 000014
【図１３】
2020179491.tif 000015
【図１４】
2020179491.tif 000016
【図１５】
2020179491.tif 000017
【図１６】
2020179491.tif 000018
【図１７】
2020179491.tif 000019
【図１８】
2020179491.tif 000020
【図１９】
2020179491.tif 000021
【図２０】
2020179491.tif 000022
【図２１】
2020179491.tif 000023
【図２２】
2020179491.tif 000024
【図２３】
2020179491.tif 000025